(57)【要約】  コンテンツベースの画像検索のための方法及び非一時的コンピュータ可読媒体。方法は、クエリ画像を選択することと、選択されたクエリ画像を、セグメント化技術を適用することによりセグメント化することと、色特徴記述子及びテクスチャ特徴記述子を含む少なくとも二つの特徴記述子を決定することにより、セグメント化された画像から特徴を抽出することと、セグメント化されたクエリ画像において決定された少なくとも二つの特徴記述子を使用して、データベース内に含まれる少なくとも二つの特徴記述子により抽出され計算された特徴を含む複数の画像に対するクエリ画像の類似度を決定することとを具備し、色特徴記述子及びテクスチャ特徴記述子は異なる色空間の同時の組み合わせを含み、全体的及び局所的な統計的測定が異なる色空間の同時の組み合わせに対して実施される。【選択図】図１
2016530641.tif 000002
【特許請求の範囲】
【請求項１】
コンテンツベースの画像検索のための方法であって、
クエリ画像を選択することと、
選択された前記クエリ画像を、セグメント化技術を適用することによりセグメント化することと、
色特徴記述子及びテクスチャ特徴記述子を含む少なくとも二つの特徴記述子を決定することにより、セグメント化された前記クエリ画像から特徴を抽出することと、
前記セグメント化された前記クエリ画像で決定された前記少なくとも二つの特徴記述子を使用して、データベース内に含まれており、前記少なくとも二つの特徴記述子によって抽出され計算された特徴を含んでいる複数の画像に対する前記クエリ画像の類似度を決定することと、を具備し、
前記決定された前記色特徴記述子及び前記テクスチャ特徴記述子が、それぞれ三つのチャンネルを有する異なる色空間の同時の組み合わせを含み、前記チャンネルが全て一緒に同時に使用され、局所的及び全体的な統計的測定が、前記異なる色空間の同時の組み合わせに対して実施され、前記統計的測定は前記異なる色空間内の平均及び分散の少なくとも一つの一括計算を含む
ことを特徴とする方法。
【請求項２】
前記色特徴記述子及び前記テクスチャ特徴記述子は、少なくとも形状特徴記述子及び向き特徴記述子と更に組み合わされる、
請求項１に記載の方法。
【請求項３】
前記クエリ画像内の異なる色領域及び／またはテクスチャ領域を区別するために、前記クエリ画像内のある画素サイズの関心領域ＲＯＩを計算することを更に具備し、
前記関心領域ＲＯＩは平均及び分散を測定することにより計算され、
前記関心領域ＲＯＩは前記全体的な統計的測定の値に最も近い、及び／または、最も遠い距離を満たす、
請求項１に記載の方法。
【請求項４】
前記画素サイズは、前記クエリ画像の全領域の少なくとも１％である、
請求項３に記載の方法。
【請求項５】
前記異なる色空間は、同時に組み合わされたＨＳＶ、ＣｉｅＬＡＢ及びＣｉｅＸＹＺを少なくとも含む、
請求項１に記載の方法。
【請求項６】
前記形状特徴記述子は、あるオブジェクトに関連する凸殻、偏心度、他の派生的に計算された形状、及び／または、比率を含む領域に基づいて、低レベル不変Ｈｕモーメントと、前記オブジェクトのボリュームに関連する他の非線形で無次元のパラメータとを使用することを含む、
請求項２に記載の方法。
【請求項７】
内側輪郭についての周長に基づく等価の比率と詳細な局所的形状、及び他の高レベル変数、及び／または、
内側及び外側の境界線についての凸欠陥領域と関連する直線比、凸性、及び／または偏心度
を計算することを更に具備する、
請求項６に記載の方法。
【請求項８】
前記向き特徴記述子は、主成分分析ＰＣＡの第一成分の少なくとも一つの角度値を使用して決定される、
請求項２に記載の方法。
【請求項９】
前記データベースに含まれる前記複数の画像に対する前記クエリ画像の類似度は、リアルタイムで調整される超立方体クラスタ内に適用される空間メトリックを使用して決定され、
前記超立方体クラスタは、
次元毎に独立しかつ異なる半径値を有する、少なくとも二つの特徴記述子の合計ｎ次元のサブセットｍの、ｍ次元半径を有するベクトルにより定義され、
クエリ画像位置の値について受け付けられた距離パーセンテージに基づくものであり、かつ
前記クエリ画像の空間位置の中心に位置する前記超立方体クラスタ内で、全ての必要な１：１の距離を計算するために許容される最大速度の計算により制限される、
請求項１に記載の方法。
【請求項１０】
前記ｍ次元半径のベクトルは、多次元空間から一次元空間に数学的かつ幾何学的に変化する前記クエリ画像位置を少なくとも使用して、次元毎に計算される、
請求項９に記載の方法。
【請求項１１】
前記少なくとも二つの特徴記述子は、多変量ロジスティック回帰分析に適用される統計的分類方法に基づく変換技術及びフィルタリング方法を適用することにより最適化される、
請求項１に記載の方法。
【請求項１２】
コンテンツベースの画像検索のための方法をコンピュータに実行させるプログラムを記憶している非一時的コンピュータ可読媒体であって、
前記方法は、
クエリ画像を選択することと、
前記選択されたクエリ画像を、セグメント化技術を適用することによりセグメント化することと、
色特徴記述子及びテクスチャ特徴記述子を含む少なくとも二つの特徴記述子を決定することにより、セグメント化された前記クエリ画像から特徴を抽出することと、
セグメント化された前記クエリ画像で決定された前記少なくとも二つの特徴記述子を使用して、データベース内に含まれており、前記少なくとも二つの特徴記述子によって抽出され計算された特徴を含んでいる複数の画像に対する前記クエリ画像の類似度を決定することと、具備し、
決定された前記色特徴記述子及び前記テクスチャ特徴記述子が、それぞれ三つのチャンネルを有する異なる色空間の同時の組み合わせを含み、前記チャンネルが全て一緒に同時に使用され、局所的及び全体的な統計的測定が、前記異なる色空間の同時の組み合わせに対して実施され、前記測定は前記異なる色空間内の平均及び分散の少なくとも一つの一括計算を含む
ことを特徴とする非一時的コンピュータ可読媒体。
【請求項１３】
前記色特徴記述子及び前記テクスチャ特徴記述子は、少なくとも形状特徴記述子及び向き特徴記述子と更に組み合わされる、
請求項１２に記載の非一時的コンピュータ可読媒体。
【請求項１４】
前記クエリ画像内の異なる色領域及び／またはテクスチャ領域を区別するために、前記クエリ画像内のある画素サイズの関心領域ＲＯＩを計算することを更に具備し、
前記関心領域ＲＯＩは平均及び分散を測定することにより計算され、
前記関心領域ＲＯＩは前記全体的な統計的測定の値に最も近い、及び／または、最も遠い距離を満たす、
請求項１２に記載の非一時的コンピュータ可読媒体。
【請求項１５】
前記画素サイズは、前記クエリ画像の全領域の少なくとも１％である、
請求項１４に記載の非一時的コンピュータ可読媒体。
【請求項１６】
前記異なる色空間は、同時に組み合わされたＨＳＶ、ＣｉｅＬＡＢ及びＣｉｅＸＹＺを少なくとも含む、
請求項１２に記載の非一時的コンピュータ可読媒体。
【請求項１７】
前記形状特徴記述子は、あるオブジェクトに関連する凸殻、偏心度、他の派生的に計算された形状、及び／または、比率を含む領域に基づいて、低レベル不変Ｈｕモーメントと、前記オブジェクトのボリュームに関連する他の非線形で無次元のパラメータとを使用することを含む、
請求項１３に記載の非一時的コンピュータ可読媒体。
【請求項１８】
内側輪郭についての周長に基づく等価の比率と詳細な局所的形状、及び他の高レベル変数、及び／または、
内側及び外側の境界線についての凸欠陥領域と関連する直線比、凸性、及び／または偏心度
を計算することを更に具備する、
請求項１７に記載の非一時的コンピュータ可読媒体。
【請求項１９】
前記向き特徴記述子は、主成分分析ＰＣＡの第一成分の少なくとも一つの角度値を使用して決定される、
請求項１３に記載の非一時的コンピュータ可読媒体。
【請求項２０】
前記データベースに含まれる前記複数の画像に対する前記クエリ画像の類似度は、リアルタイムで調整される超立方体クラスタ内に適用される空間メトリックを使用して決定され、
前記超立方体クラスタは、
次元毎に独立しかつ異なる半径値を有する、少なくとも二つの特徴記述子の合計ｎ次元のサブセットｍの、ｍ次元半径を有するベクトルにより定義され、
クエリ画像位置の値について受け付けられた距離パーセンテージに基づくものであり、かつ
前記クエリ画像の空間位置の中心に位置する前記超立方体クラスタ内で、全ての必要な１：１の距離を計算するために許容される最大速度の計算により制限される、
請求項１２に記載の非一時的コンピュータ可読媒体。
【請求項２１】
前記ｍ次元半径のベクトルは、多次元空間から一次元空間に数学的かつ幾何学的に変化する前記クエリ画像位置を少なくとも使用して、次元毎に計算される、
請求項２０に記載の非一時的コンピュータ可読媒体。
【請求項２２】
前記少なくとも二つの特徴記述子は、多変量ロジスティック回帰分析に適用される統計的分類方法に基づく変換技術及びフィルタリング方法を適用することにより最適化される、
請求項１２に記載の非一時的コンピュータ可読媒体。
【発明の詳細な説明】
【技術分野】
【０００１】
本発明は、概ね、コンピュータのビジョン、オブジェクト、及び画像の認識技術に関する。特に、本発明は、独特の高レベル画像特徴の一般的記述子を使用したコンテンツベースの画像検索のための方法、及び非一時的コンピュータ可読媒体に関する。本発明はまた、客観的かつ任意に選択される主観的な重み付け類似度に基づく実行の使用と、クエリ画像と潜在的に類似する画像との間の距離の最適化された計算とに関する。
【背景技術】
【０００２】
コンピュータ及び仮想分野が根付いているので、我々の社会において画像認識の重要性が日々増している。
【０００３】
視覚的探索エンジン、及びコンピュータのビジョン、オブジェクト及びパターンの認識技術の応用分野は広範であり、幅広い種々の用途及び領域に広がっている。例えば、工業的・機械的ビジョン、ナビゲーション、プロセス制御、国土安全保障、電子商取引、医療診断、生物学的研究、人物識別、バイオメトリクス、マーケティング、ソーシャルネットワークなどである。
【０００４】
特に、識別及び類似度のための視覚的探索の使用は、多大な関心が寄せられている分野である。デジタル画像及び動画の増加や、より高度化する内臓カメラを備えるスマートフォン、タブレットなどの最新の技術を用いてインターネットを使用することに伴い、商用アプリケーションが過去数十年にわたって開発されてきている。
【０００５】
視覚的探索の問題を解決する第一のアプローチは、キーワード、タグ、分類コード、またはアイテム名を使用して画像にインデックスが付される「テキストベースの検索」であった。従来技術に伴う制約は二つある。第一に、画像にインデックスやラベルが付される必要があるため、多大な時間とリソースを必要とすることである。第二に、各ユーザが異なる方法で画像を主観的に解釈し、定義し、かつ記述できるため、標準的な方法ではないということである。
【０００６】
テキストベースの検索に代替するアプローチは、コンテンツベースの画像検索（ＣＢＩＲ）技術であり、自動的に導出される画像特徴に基づいて、意味的に関連する画像を画像データベースから検索する。
【０００７】
画像処理はかなり複雑であり、画像処理が占める容量は別にして、高レベルの認知を低レベルの画像特徴に効率的に変換し、かつ周知の意味上の相違を解消することに真の課題がある。これらの技術は、以下を目的とするものとすることができる。
・応答時間を短縮すること
・精度を高めることと
・画像検索用のクエリを簡単にすること
・異なる環境、画像取込条件、及び視点変更に対するロバスト性及び不変性を高めること
・ボリューム、時間、及び画像性質に対するスケーラビリティ、すなわち、リアルタイムで変化し増加する大きなデータベースに対するスケーラビリティ、並びに、他のタイプのオブジェクト、画像、及び／またはパターンに対するフレキシビリティと拡張性
【０００８】
ＣＢＩＲシステムが適切に機能するための重要な点の一つは、画像特徴の定義及び抽出、すなわち、画像または関心領域の視覚情報を、最小限の必要なデータで、できる限り完全かつ正確に記述する最適かつ適切なベクトルの選択であり、これは特徴記述子とも称される。この目的は、大きな画像データベースに適用される、効率的な探索及び比較方法により、クエリ画像または関心オブジェクトを同一なものや類似するものと一緒に認識し、特定し、ソートし、かつ分類することである。
【０００９】
これまで開発された分野の技術は、画像／オブジェクトの全体、または部分的な画像ウィンドウ／関心領域（ＲＯＩ）に適用される、直接的な１：１の比較、パターンマッチング、または相関法に一般的に基づいている。このようなアプローチは正確であり、かつ、制限されかつトレーニングされたデータベースに関して既知の特定のオブジェクトの全体的構造を認識するのに適しているが、部分遮蔽、視点の著しい変化、または変形可能な変換に十分に対処できない（非特許文献１）。更に、それらは通常、照度変化または隣接する要素から受けるノイズの存在にロバストではなく、これらのシステムのスケーラビリティ及びフレキシビリティを非常にコストのかかるものにしており、その結果、ＣＢＩＲの適応可能性を極めて疑わしいものにしている。
【００１０】
正しいＣＢＩＲ記述子を定義するための別の重要な因子は、ＣＢＩＲ記述子が不変であるべきということであり、これはＣＢＩＲ記述子が、異なる画像、オブジェクト取込条件、或いは環境に敏感なパラメータ、例えば照度、回転、スケール、反転、転換、アフィン変換、及び他の効果などにより影響されるべきではないということを意味している。
【００１１】
代替的に、異なる取込状況及び条件で画像またはオブジェクトをロバストに記述する一方、他方では、実行、必要なエネルギー消費及び処理に関して、より複雑でコストのかかる高レベル特徴の使用及び解析を回避する記述子に基づいて、不変の低レベル特徴を実行するＣＢＩＲシステムを開発する取り組みがなされている。
【００１２】
これらの低レベル特徴ベクトルの使用は、これらの特徴を記述するために数値を使用し、Ｎ次元空間内での一つのポイントとして画像またはオブジェクトを表して、視覚的な特性にインデックス付けすることからなる。このプロセスは、クエリ画像またはオブジェクトベクトル特徴を抽出することと、データベースに関して類似度を解析するためにメトリック及び分類方法を適用することとからなる。
【００１３】
現在、この種類の不変特徴を画像から抽出するためのアルゴリズム的方法が存在する。例えば、スケール不変特徴変換（ＳＩＦＴ）、一般化ロバスト不変特徴（Ｇ−ＲＩＦ）、高速化ロバスト特徴（ＳＵＲＦ）、ＰＣＡ−ＳＩＦＴ、ＧＬＯＨなどである。しかしながら、これらの方法は、１セットの関心点を選択し、既知の制限されたデータベースに適用される機械学習及びトレーニング方法により通常得られる、オブジェクトまたは画像の特定領域の具体的で局所的な外観を記述する。これは、対応する事前のトレーニングなしに他のオブジェクトやカテゴリに拡張できないことを意味している。
【００１４】
ここでは、フレキシブルでスケーラブルな方法により画像検索の速度を上げるインデックス付け構造を指定することを、課題に含んでいる。
【００１５】
したがって、低レベル特徴に対する別の代替案は、一般的なベクトルを開発するために、色、形状、テクスチャなどの特徴の記述子を使用することであり、いろいろな種類の画像やオブジェクトに適用することができる。上述のベクトル／記述子を最適化する方法では、情報に最小数のパラメータまたは変数を含む一方で、最大の情報を得ることを目的とする。このため、選択方法は、大きなデータベースにおいてアイテムを記述し照会するために、最も重要な特徴及びそれら特徴の組み合わせを決定するために使用され、高い性能精度の維持を試みる一方で、サーチ及び検索の複雑さ（時間とコンピュータ処理の両方に関して）を低減する。その上、このことは、正しい特徴と所与のデータベースの測定値とを自動的に関連付けることにより、エンドユーザを助ける（非特許文献２）。これらの方法は、次の二つのグループに分類することができる。
【００１６】
・主成分解析（ＰＣＡ）統計手順、及び独立成分解析（ＩＣＡ）計算方法など、オリジナルの特徴空間を最小次元空間にマッピングし、かつ新たな特徴ベクトルを構築する特徴変換方法。特徴変換アルゴリズムに関する問題は、ノイズに対するそれらの感度であり、かつ結果として得られる特徴がユーザにとって意味のないものであることである。
【００１７】
・ノイズに対してロバストであり、かつ結果として得られる特徴が高度に解釈可能である特徴選択方式。特徴選択の目的は、最小量の情報を失う一方で、特徴ベクトルの長さを低減するために、特徴のサブセットを選ぶことである。それらのサブセット評価方法によれば、特徴選択方式は更に二つのグループに分類される。
○本質的効果、及びクラスまたはクラスタへの自然な分離に基づいて、特徴が評価されるフィルタリング方法
○特徴のサブセットを評価するために学習方法の精度を利用する、ラッパー方法
【００１８】
調整されトレーニングされた特定の事例及びデータベースサンプルの精度及び結果を最適化することからなる機械学習及びトレーニング方法に基づく異なる手法により、ＣＢＩＲシステムにおける特徴選択がこれまで達成されているが、これは、初期に考慮やトレーニングがされない他のまたは新たな事例及びデータベースサンプルに対して、または異なる種類の画像及びオブジェクトカテゴリに対して、一般的に拡張可能ではない。
【００１９】
これらの一般的な特徴ベクトルの全てのうち、色及びテクスチャは、最も関連する記述子のうちの二つであり、画像及び動画検索に最もよく使用される。結果として、企業及び研究者は、これらの記述子を改善し、これらの記述子をＣＢＩＲシステムのベースとすることに専心してきた。
【００２０】
色記述子または色特徴は、画像、領域またはオブジェクトに関して、シーンの表面の表面特性を記述する全体的な特徴である。色特徴を抽出する異なる方法が、非特許文献３において説明されている。
【００２１】
異なる色空間が、ＣＢＩＲでの用途、及び認知色を特定する際の利点で広く知られている。色を異なる方法で解釈しモデル化することができるので、色空間を普遍的であると考えることができる色空間はない。多種多様な利用可能な色空間（例えば、ＲＧＢ、ＣＭＹ、ＹＩＱ、ＹＵＶ、ＸＹＺ、ｒｇ、ＣＩＥ  Ｌａｂ、Ｌｕｖ、ＨＳＶなど）と、画像及びオブジェクトの色を定義するための多種多様な記述子とについて、どの色空間及びどの特徴が、画像を記述するために測定されるべきであり、かつ画像と同一または最も類似しているものを特定できるとすべきであるかは明らかではない。ここで生じる問題は、特定のコンピュータビジョンタスクに対して最良の結果を提供する色モデルを、どのように選択するべきかである。これらの難題は、非特許文献４で詳細に説明されており、この文献では、一つの一般的な選択モデルまたは複数のモデル（不変）を提案している。
【００２２】
これまで開発されてきたこの種類の記述子の大部分は、多数の制約を有しており、最新の文献である非特許文献５で示されている。既存の色記述子は、通常、画像における局所的分布、空間的局所性、及び領域変化を記述することができない。要するに、特定の複雑なオブジェクトまたは画像、特定の高レベルパターン、画像領域、及び細部を、明確に解釈し、認識し、分類し、かつ特定するのには不十分であり、近いか意味的に類似する他の物を見つけることもできない。形状及びテクスチャの記述子は、複雑な計算プロセス、または事前のトレーニングを伴う特殊なモデルを必要とする。
【００２３】
要約すると、ＣＢＩＲシステムのための記述子の選択と抽出で追求される目標に関して言えば、鍵となるジレンマが存在する。ロバスト性、不変性、フレキシビリティ、及びスケーラビリティが求められる場合には、精度が失われる。精度が達成された場合に失われるものは、他のタイプの画像、製品またはカテゴリに対するロバスト性、フレキシビリティ、拡張可能性である。
【００２４】
これらの特徴記述子に対する解決策、及びこれらの特徴記述子の進化として、いわゆる高レベル意味的記述子が生じる。この記述子は、我々人間の主観的な認知に最も近い方法で、精度、不変性、ロバスト性、フレキシビリティ、及びスケーラビリティに関して同時に最適である記述子を達成するために、我々の周囲の視覚世界を解釈するときに我々の脳が行うように、視覚情報を解釈しようと試みる。しかしながら、人知により近づくことを目指すこれらの記述子は、アルゴリズム、計算、及び記憶の複雑さのために障害に直面する。
【００２５】
＜類似度解析＞
検索された画像とデータベースとの間の類似度解析フェーズは、特にスケーラビリティ及び処理速度の点で、ＣＢＩＲについての別の要点である。
【００２６】
この類似度解析は、解析中の記述子／ベクトルの種類に大きく依存する。主要かつ最も広く使用される技術は、クエリ画像と他のデータベース画像との距離の解析であり、それらの内のどれが同一または類似しており、どれがそうでないかを決定するために距離を測定する。
【００２７】
類似度解析は、二つの画像間のコンテンツ類似度を定量化する。特徴のタイプに応じて、類似度解析式及びその測定が著しく変化する。
【００２８】
類似度解析における距離ベースの類似度メトリックの使用に対する主な制約を、以下に示す。
・スケーラビリティ。記述子の数が多くなるほど、類似度メトリックシステムがより稼働しなければならないため、画像検索が多くなるほど、解析が遅くなる。
・意味的な相違。画像または目標オブジェクトの全体を適切に表していない低レベル特徴が使用される場合、類似度メトリックは、画像の真の意味をとらえ損なう可能性がある。
【００２９】
類似度メトリックの上記の制約を克服するために、類似度探索を改善し、かつスケーラブルなＣＢＩＲシステムを実現する目的で、類似度解析と組み合わされた学習方法に基づいた、代替的な学習方法が提案されている。非特許文献６で説明されているように、画像特徴と概念との間のリンクを確立するための三つの共通のフレームワーク、すなわち監視下での学習（教師あり学習）、非監視下での学習（教師なし学習）、及び対話型双方向モデルが存在する。これらの方法に関する問題は、監視下での方法と非監視下での方法の両方で同様に、それら方法がいくつかの種類の学習またはその他を必要とすることであり、これは、一定の変化及び成長で、無限かつリアルタイムで変化するデータベースにおいて生じ得る全ての可能性に対する正確な挙動を、確保できないことを意味している。
【００３０】
要約すると、この技術分野でなされた多くの進歩にもかかわらず、今日のＣＢＩＲ技術の課題は依然として、我々の脳が行うように、単一の低レベルの形状、色、及びテクスチャだけではなく、多種多様な形状、幾何学的形状、多数の色及びテクスチャ、パターン、多数の領域、デザイン及び特定の細部について、画像における複雑な高レベルの視覚情報も区別しかつ測定する記述子に基づいて、同一または類似の画像／オブジェクトを正確に探索しかつ認識する能力である。更に、一般的、不変的かつロバストに解析される任意のカテゴリ、オブジェクトまたは画像性質に対してスケーラブルで、適用可能でかつ拡張可能であり、これにより、特定の予め定義されかつ制限されたデータベースセットに対するトレーニングを回避するＣＢＩＲ技術が必要である。このように、方法は、任意のタイプの画像、オブジェクトまたはカタログに、またリアルタイムにデータベースで生じた変更に、拡張できかつスケーラブルであってもよく、これらはしばしば無限であるとともに、継続的に成長しかつ変化している。なおさらそうであるが、十分なオブジェクト情報の不足が常に要因であることを前提として、一般的に三次元ボリュームのフルデータは単一カメラで取り込まれるのではなく、むしろステレオカメラで取り込まれる。これにより、ノイズ及び他の変化と共に、不完全なまたは部分的なオブジェクト情報を有する二次元デジタル画像を生成し、更に、取り込まれた視点及び視野からの画像データのみを得る。最後に、現実のオブジェクトが一般に変化する傾向にあり、その一方で、新たなまたは異なるオブジェクトが、共通の既存のカテゴリ及び新たなクラスとモデルの両方で生じることに、更に留意すべきである。そのように、上記の方法は、使用される方法の継続的な再トレーニング、調整及び再調節を含まないように、フレキシブルで、かかる組み込み及び経時的進化が可能な状態であるべきである。
【先行技術文献】
【非特許文献】
【００３１】
【非特許文献１】Ｋ．  Ｇｒａｕｍａｎ  ａｎｄ  Ｂ．  Ｌｅｉｂｅ  Ｃｈａｐｔｅｒ  ３  Ｌｏｃａｌ  Ｆｅａｔｕｒｅｓ：Ｄｅｔｅｃｔｉｏｎ  ａｎｄ  Ｄｅｓｃｒｉｐｔｉｏｎ．Ｖｉｓｕａｌ  Ｏｂｊｅｃｔ  Ｒｅｃｏｇｎｉｔｉｏｎ．Ｓｙｎｔｈｅｓｉｓ  Ｌｅｃｔｕｒｅｓ  ｏｎ  Ａｒｔｉｆｉｃｉａｌ  Ｉｎｔｅｌｌｉｇｅｎｃｅ  ａｎｄ  Ｍａｃｈｉｎｅ  Ｌｅａｒｎｉｎｇ，Ｍｏｒｇａｎ  ＆  Ｃｌａｙｐｏｏｌ（２０１１）
【非特許文献２】Ｉ．  Ｇｕｙｏｎ  ａｎｄ  Ａ．  Ｅｌｉｓｓｅｆｆ．  Ａｎ  Ｉｎｔｒｏｄｕｃｔｉｏｎ  ｔｏ  Ｖａｒｉａｂｌｅ  ａｎｄ  Ｆｅａｔｕｒｅ  Ｓｅｌｅｃｔｉｏｎ．  ２００３）  Ｊｏｕｒｎａｌ  ｏｆ  Ｍａｃｈｉｎｅ  Ｌｅａｒｎｉｎｇ  Ｒｅｓｅａｒｃｈ  ３  （１１５７−１１８２）
【非特許文献３】Ｌｕｌｕ  Ｆａｎ、Ｚｈｏｎｇｈｕ  Ｙｕａｎ、Ｘｉａｏｗｅｉ  Ｈａｎ、Ｗｅｎｗｕ  Ｈｕａ  “Ｏｖｅｒｖｉｅｗ  ｏｆ  Ｃｏｎｔｅｎｔ−Ｂａｓｅｄ  Ｉｍａｇｅ  Ｆｅａｔｕｒｅ  Ｅｘｔｒａｃｔｉｏｎ  Ｍｅｔｈｏｄｓ，”  Ｉｎｔｅｒｎａｔｉｏｎａｌ  Ｃｏｎｆｅｒｅｎｃｅ  ｏｎ  Ｃｏｍｐｕｔｅｒ，  Ｎｅｔｗｏｒｋｓ  ａｎｄ  Ｃｏｍｍｕｎｉｃａｔｉｏｎ  Ｅｎｇｉｎｅｅｒｉｎｇ  （２０１３）
【非特許文献４】（Ｈ．Ｓｔｏｋｍａｎ  ａｎｄ  Ｔ．Ｇｅｖｅｒｓ“Ｓｅｌｅｃｔｉｏｎ  ａｎｄ  Ｆｕｓｉｏｎ  ｏｆ  Ｃｏｌｏｒ  Ｍｏｄｅｌｓ  ｆｏｒ  Ｉｍａｇｅ  Ｆｅａｔｕｒｅ  Ｄｅｔｅｃｔｉｏｎ”ＩＥＥＥ  ｔｒａｎｓａｃｔｉｏｎｓ  ｏｎ  ｐａｔｔｅｒｎ  ａｎａｌｙｓｉｓ  ａｎｄ  ｍａｃｈｉｎｅ  ｉｎｔｅｌｌｉｇｅｎｃｅ，ｖｏｌ．２９，ｎｏ．３，Ｍａｒｃｈ  ２００７）
【非特許文献５】Ｌｕｌｕ  Ｆａｎ、Ｚｈｏｎｇｈｕ  Ｙｕａｎ、Ｘｉａｏｗｅｉ  Ｈａｎ、Ｗｅｎｗｕ  Ｈｕａ  “Ｏｖｅｒｖｉｅｗ  ｏｆ  Ｃｏｎｔｅｎｔ−Ｂａｓｅｄ  Ｉｍａｇｅ  Ｆｅａｔｕｒｅ  Ｅｘｔｒａｃｔｉｏｎ  Ｍｅｔｈｏｄｓ，”Ｉｎｔｅｒｎａｔｉｏｎａｌ  Ｃｏｎｆｅｒｅｎｃｅ  ｏｎ  Ｃｏｍｐｕｔｅｒ，Ｎｅｔｗｏｒｋｓ  ａｎｄ  Ｃｏｍｍｕｎｉｃａｔｉｏｎ  Ｅｎｇｉｎｅｅｒｉｎｇ（２０１３）
【非特許文献６】Ｇ．Ｒａｆｉｅｅ，Ｓ．Ｓ．Ｄｌａｙ，ａｎｄ  Ｗ．Ｌ．Ｗｏｏ“Ａ  Ｒｅｖｉｅｗ  ｏｆ  Ｃｏｎｔｅｎｔ−Ｂａｓｅｄ  Ｉｍａｇｅ  Ｒｅｔｒｉｅｖａｌ”ＣＳＮＤＳＰ  ２０１０  ＳＩＰ  ８（７７５−７７９）ｄｅ
【発明の概要】
【発明が解決しようとする課題】
【００３２】
そこで、これまで使用されてきたトレーニング技術及び機械学習技術に対する代替方法を、見つけることが要請されている。その有効性が、既知で有界であり且つトレーニングされたデータベースに厳密に限定されている一方で、現在では、全てのタイプの画像またはオブジェクトの探索に関する問題を解決するために、スケーラビリティ及びロバスト性がますます必要とされているためである。要するに、全ての現在の探索可能性及び探索条件を含むだけでなく、将来的に現れるものにも対応できるように準備され、リアルタイムで１００％スケーラブルなＣＢＩＲ解決策を構築する方法が必要とされている。
【課題を解決するための手段】
【００３３】
本開示は、概ね、コンピュータビジョンシステムと統計的方法の組み合わせに基づく、新たなＣＢＩＲ機構またはシステムに関する。実施形態は、従来技術で特定される制約の一部または全てに対処してもよく、かつ、改善された精度、スケーラビリティ、及び／または速度を提供するものとしてもよい。実施形態は、上述の従来技術の制約の何れかまたは全てに対処することは要請されない。
【００３４】
特に、実施形態によれば、同一及び類似の画像／オブジェクトを迅速かつ正確に見つけ探索し、並びに、任意の取込条件に対して一貫してかつ不変的に、異なる種類の画像またはオブジェクトの全てのカテゴリ及びタイプに適用可能なＣＢＩＲが提供される。そのように、実施形態は、継続的に成長しかつ変化する全てのタイプのカタログ、クラスまたはデータベースに拡張可能であり、かつ高度にスケーラブルであってもよい。つまり、１００％にリアルタイムのスケーラビリティが提供されてもよく、照度、視点、及び他の取込条件に対してロバストに、全てのタイプの取込装置による使用及び用途を可能する。
【００３５】
この目的を達成するために、実施形態は以下を具備する第一の態様のコンテンツベースの画像検索方法を提供する。
・クエリ画像を選択することと
・選択されたクエリ画像を、任意の必要な事前の強調及び正規化画像フィルタリング技術を含み得るセグメント化技術を適用することにより、セグメント化することと
・セグメント化されたクエリ画像から、色特徴記述子とテクスチャ特徴記述子とを含む少なくとも二つの高レベル特徴記述子を決定することにより、特徴を抽出することと、及び
・セグメント化されたクエリ画像において決定された少なくとも二つの特徴記述子を使用して、データベース内に含まれる複数の画像であって、前記の少なくとも二つの特徴記述子により計算されて抽出された特徴をも含む複数の画像に対するクエリ画像の類似度を決定すること
【００３６】
一つの実施形態によれば、前記の計算された色特徴記述子及びテクスチャ特徴記述子（多色、多数のテクスチャ）は、異なる色空間の集合的かつ同時の組み合わせを含んでおり、これらの色空間それぞれの三つのチャンネルは同時に使用されると共に、それらの局所的及び全体的測定がなされる。これらの全ては、一次の統計的モーメント、平均、及び分散の少なくとも一つの一括計算を同時に含んでもよく、そのガウスモデル分布の＋９０％の代表的情報を測定し、これにより、単一の低レベル領域の単一の色特徴または単一のテクスチャ特徴における精度だけでなく、高レベル特徴も記述することを可能にする。一つの実施形態は、いくつかの色、テクスチャ、局所的分布、空間的局所性、織物、模様、パターン、写真、デザイン、及び／または幾何学的形状を有する異なる領域、並びに更に特定の複雑なオブジェクト及び正確な細部を含んでもよい。それゆえ、一つの実施形態は、低レベルの意味的記述子、すなわち単純な計算、小さなサイズ、低い実行複雑さ、フレキシビリティ、ロバスト性、２Ｄ回転の利点と共に、高レベルの意味的記述子を提供してもよく、大抵の場合では、好ましくはそれらを表す少なくとも３６の数値を有するベクトルを使用して、３Ｄボリューム、奥行き回転、アフィン変換（視点、変形など）、遮蔽、反転、スケール、及び照度に対する不変性を維持する。
【００３７】
前記の色記述子及びテクスチャ記述子を、少なくとも形状／幾何学的形状記述子、及び向き記述子と組み合わせてもよい。これにより、２Ｄ回転、スケール、反転、転換、及び照度に対して不変でもある高度な形状／幾何学的形状記述子、及び向き記述子が提供される。
【００３８】
別の例示的な実施形態によれば、好ましくはユークリッド距離及び／またはマハラノビス距離の組み合わせと重み付けを使用して、客観的類似度関数解析をｎ次元メトリックにより実施することができる。
【００３９】
別の例示的な実施形態によれば、最適な特徴を選択し、冗長性を除去するために、種々の変換技術、及びフィルタリング方法を使用することができる。好ましくは、エントロピー統計解析は、任意の学習方法または調整されたラッパーの使用を回避するように使用される。
【００４０】
最後に、別の例示的な実施形態によれば、客観的空間メトリックと主観的重み付けとに基づいて、意味的類似度関数の解析及び定義を実行してもよい。解析下で、オブジェクト／画像の予め定義されたモデル（「クラスタ」）に基づく任意の学習、トレーニングまたは分類方法を必要とすることなく、視覚における類似度の人間の主観的認知により近づくためである。非限定的な例として、リアルタイムの超立方体をクエリ画像／オブジェクトの中心に位置させてもよく、それによってスケーラビリティと共に精度を維持することを可能にする。
【００４１】
別の態様によれば、一つの実施形態は、計算装置、デジタル信号プロセッサ、マイクロコントローラに集積された特定の回路、または任意の他のタイプのデータ処理システムで実行されたときにＣＢＩＲを実施するようになされたコードを有する、コンピュータプログラム製品を提供する。
【００４２】
以下の添付図面と共に以下の詳細な説明を参照することにより、前述の利点、特徴、及びその他をより良く理解することができる。
【図面の簡単な説明】
【００４３】
【図１】例示的な一実施形態により提案されたＣＢＩＲの方法を説明するフロー図である。
【図２ａ】特徴記述子ベクトル、形状及び向きの可変密度関数から得られる例の図示である。
【図２ｂ】特徴記述子ベクトル、形状及び向きの可変密度関数から得られる例の図示である。
【図２ｃ】色及びテクスチャの特徴可変密度関数から得られる例の図示である。
【図２ｄ】色及びテクスチャの特徴可変密度関数から得られる例の図示である。
【図３ａ】調整された超立方体クラスタの図示である。
【図３ｂ】例示的な一実施形態により定義される、０．１Ｍ、１Ｍ及び１０Ｍのアイテムデータベースサイズでのクエリ探索の結果として得られる秒単位でのタイミングの例の図示である。
【図３ｃ】例示的な一実施形態により定義される、０．１Ｍ、１Ｍ及び１０Ｍのアイテムデータベースサイズでのクエリ探索の結果として、探索された全てのクエリ画像の一番目の位置（Ｔｏｐ１）、二十番目の位置（Ｔｏｐ２０）などに出現するパーセンテージとして得られる精度結果の例の図示である。
【図４】特徴記述子で使用された異なる色チャンネルにより、結果として提供される異なる色情報の例と、色及びテクスチャの特徴記述子ベクトルの局所的ＲＯＩの位置の図示である。
【図５】色、テクスチャ、形状及び幾何学的形状の特徴記述子を全て一緒に使用する種々の例示的な実施形態で得られる視覚的な例である。
【図６】色、テクスチャ、形状及び幾何学的形状の特徴記述子を全て一緒に使用する種々の例示的な実施形態で得られる視覚的な例である。
【図７ａ】色及びテクスチャの特徴記述子のみ（つまり、形状及び幾何学的形状は測定されない）を使用する種々の例示的な実施形態で得られる、高レベルパターン及び模様類似度認識能力を示す視覚的な例である。
【図７ｂ】色及びテクスチャの特徴記述子のみ（つまり、形状及び幾何学的形状は測定されない）を使用する種々の例示的な実施形態で得られる、高レベルパターン及び模様類似度認識能力を示す視覚的な例である。
【図７ｃ】色及びテクスチャの特徴記述子のみ（つまり、形状及び幾何学的形状は測定されない）を使用する種々の例示的な実施形態で得られる、高レベルパターン及び模様類似度認識能力を示す視覚的な例である。
【図７ｄ】色、テクスチャ、形状及び幾何学形状の特徴記述子を全て一緒に使用する種々の例示的な実施形態で得られる、視点の３Ｄ回転に対するフレキシビリティと、照度変化に対するロバスト性と、紙、ガラスなどにおける図柄に関する異なる画像条件とを示す視覚的な例である。
【図８ａ】色及びテクスチャの特徴記述子のみ（つまり、形状及び幾何学的形状は測定されない）を使用する種々の例示的な実施形態で得られる、異なる画像性質に対するフレキシビリティを示すと共に、高レベル複雑細部類似度認識能力に対するフレキシビリティを示し、異なるコンテキストにおいて動物の顔でさえ見つける視覚的な例である。
【図８ｂ】色及びテクスチャの特徴記述子のみ（つまり、形状及び幾何学的形状は測定されない）を使用する種々の例示的な実施形態で得られる、異なる画像性質に対するフレキシビリティを示すと共に、高レベル複雑細部類似度認識能力に対するフレキシビリティを示し、異なるコンテキストにおいて動物の顔でさえ見つける視覚的な例である。
【発明を実施するための形態】
【００４４】
図１には、一実施形態におけるＣＢＩＲ機構のプロセス全体が示されており、解析、設計、及び実行を含む。この機構は、次の三つの主なステージに分割することができる。
第一ステージ：ラッパーまたは学習方法を使用することなく自己定義された特徴抽出をするための画像処理及びコンピュータビジョンアルゴリズム
第二ステージ：計画された意味的記述子を含むような特徴の最適化された評価、選択、抽出、及び圧縮のための高度な統計解析、定量的なエントロピー選択及びグループ化
第三ステージ：ユークリッド距離及び／またはマハラノビス距離に基づく客観的類似度関数の実行、オプションで人間の認知に対する主観的重み付け
【００４５】
＜画像処理及びコンピュータビジョンアルゴリズム＞
一般的かつスケーラブルな方法は、一実施形態によって提供され、全てのタイプの画像、オブジェクト、または関心領域（ＲＯＩ）に対して、検出、セグメント化、及び認識を使用して、その方法を適用可能かつ拡張可能にし、それにより、システムのフレキシビリティ、相互運用性、スケーラビリティを常に維持する。
【００４６】
まず、図１を参照すると、ブロック１００においてクエリ画像が入力される。次いで、ブロック１０５において、既知の現行技術を使用してセグメント化（好ましくは事前の強調及び正規化も）が行われる。次に、ブロック１１０での特徴抽出のために、初期の全体的／局所的特徴の記述子が計算され（好ましくは、形状、向き、色、及びテクスチャ）、その後、ブロック１１５においてクエリオブジェクト特徴として記憶される。記述子は、画像変換方法に基づいて、セグメント化されたクエリ画像においてほとんど不変でかつ無相関な変数を特定すると共に、視覚情報の目標とする特徴を最もよく表しかつ記述する。第一のアプローチは、スケール、照度、回転、転換、及び反転に対する不変性を最適化することである。第二のアプローチは、各記述子に対する最小のデータを使用して、最大の情報を提供することである。形状については、数学的幾何学変数が、局所的形状と全体的形状の両方を記述するために抽出され、不変統計的モーメント、偏心度、凸性、領域、境界、及びそれらの関係比などを含み、最大で合計約２０〜３０個の変数、及び測定値が初期に記述子に含まれる。向きについては、オブジェクトの外殻形状に基づく他の比率と共に、ＰＣＡ計算が含まれる。色及びテクスチャについては、いくつかの統計的モーメントが同じく定義され、全体的測定値と局所的測定値の両方が、種々の照度の不変色空間に関する少なくとも平均及び分散（標準偏差）を含むが、これらの全てが同時に行われ、ここでもまた変数は最大で約２０〜３０個である。
【００４７】
形状特徴記述子の抽出は、低レベル記述と高レベル記述の両方の形状記述に効率的に寄与できる、全ての幾何学的不変変換特徴を測定することを含む。
【００４８】
図１を再び参照すると、ブロック１２０において提供されるデータベース内に含まれる複数の画像の各々について、画像はブロック１２５においてセグメント化される。これは、上記のブロック１０５におけるオブジェクトのセグメント化と同様である。
【００４９】
次に、ブロック１３０において特徴の抽出が行われ、その後、ブロック１３５において、記述子がデータベースアイテム特徴として記憶される。これは、ブロック１１０及び１１５に関して上述したものと同様である。
【００５０】
現実世界の最も重要でかつ可能な限り忠実な複製を測定するために、物理的／３Ｄオブジェクトが２Ｄデジタル画像表現に投影されることによって、オブジェクトに関するコア情報の大部分が失われることを留意して、３Ｄ回転と共に反転及び逆転に対する不変性を可能な限り維持する目的で、パラメータが求められる。従って、低レベルの不変Ｈｕモーメントは、オブジェクトに関する凸殻、偏心度、他の派生的に計算された形状、及びそれらの比率に基づいて、オブジェクトのボリュームに関連する他の線形及び無次元パラメータと共に、全体の最初に使用される。
【００５１】
内側輪郭及び他の高レベル特徴について、同等の境界に基づく比率及び詳細な局所的な内部形状と幾何学的測定値が使用される。内側及び外側の境界線について、凸性、偏心度など、凸欠陥領域、インバウンド領域、及び関連の線形比率が計算される。
【００５２】
向き記述子の抽出のために、本発明は、ＰＣＡの第一成分の角度値、及び／または他の関連の角度比の計算に依存する。例えば、他の幾何学的形状、角度、及び比率のうち、囲繞する矩形の長さ対高さの比などの長さである。
【００５３】
形状及び向きの初期の特徴抽出は、共に、合計３５個の変数とすることが好ましい。
【００５４】
色及びテクスチャの特徴記述子を抽出するために、変換された特徴が計算され、これにより、オブジェクト内の多数の色、多数のテクスチャ、局所的及び全体的領域、高レベルパターン、及び模様特徴を効率的に記述でき、照度及び色変化に対する高いロバスト性及び不変性を維持する。照度及び色変化は、異なる画像取込条件によるだけでなく、陰影及び明るさの効果、ボリューム視野変化などを含む３Ｄ−２Ｄ投影により生じる。この実施形態は、いくつかの異なる色空間、すわなち、少なくともＨＳＶ、ＣｉｅＬＡＢ及びＣｉｅＸＹＺを使用する。なぜなら、色及び照度の不変性に基づく、知覚のための属性として適切であり、単一の色空間を使用する場合の色特徴の制限（例えば、ＨＳＶは、白色及び黒色値を測定するのに良好ではない）を補うからである。
【００５５】
更に、全体的な色及びテクスチャの特徴だけでなく、高レベルで局所的な色及びテクスチャの特徴を測定し、それゆえ、同じ記述子での空間的−局所的な測定値を含める目的で、主要な統計的モーメントを、オブジェクト領域の全体について測定すると共に、より小さな局所的ＲＯＩについても測定することができる。このように、色及びテクスチャの表現を測定するために、全体的な統計的モーメントが、三つの不変の色空間について少なくとも平均と分散を含むように計算される。ここでは、主要な色／パターンを（平均で）測定し、かつ主要なテクスチャ／模様を（分散で）測定することがより容易である。同様に単一のオブジェクトにおける異なる色／テクスチャの領域を区別できるという目的で、小さな局所的な特定のＲＯＩを、少なくとも平均値及び分散値が、ユークリッド距離によって測定される全体的な値に対して近い及び／または遠い状態で、オブジェクト画像の全体に含めることができる。
【００５６】
この例示的な実施形態において選択されたＲＯＩは、全オブジェクト領域の１％を構成し、オブジェクト／画像の全体から選択されるものであり、その局所的統計値から全体的統計値までの最も近い距離を満たすものである。つまり、距離（ＲＯＩとオブジェクト）は、次の数式１で表される。
【００５７】
【数１】
2016530641.tif 000003
【００５８】
色及びテクスチャの初期の特徴抽出は、共に、少なくとも合計１８個の変数とする。
【００５９】
＜最適化された特徴の圧縮及び選択のための統計的多変量解析及び方法＞
ベクトル記述子に含めるべき抽出された変数の初期の特徴が得られると、それらの特徴は、最も無関係で有用であり、かつ選択されるべき理論的データが最適化されたデータを得るために、統計的及びエントロピー的な点で十分に解析される。これは、どの変数が適切な特徴の記述を構成するかを決定して、視覚情報を提供せず、むしろノイズまたは冗長データを提供するものを排除する目的でなされる。更に、その目的は、定義されたクラスタまたはモデルのための特定のセットの画像またはアイテムを、トレーニングすることを回避することである。これらの一般的な記述子の基本的前提は、常に、任意のタイプのカテゴリ及び性質の中から、任意のタイプのオブジェクトを記述しなければならないことであるからである。
【００６０】
第一の特徴記述子の統計的高度多変量解析及び結果から、以下の結論が得られた。
・向き及び形状の特徴記述子について、エントロピー無相関視覚情報データの９９．６１％は、定義された変数を使用して達成される。このことは、このように定義されたこの記述子に基づいて、オブジェクトの外形及び向きの特徴に関して、オブジェクトを十分に測定しかつ記述することが可能であることを意味している。
・色及びテクスチャの特徴について、９８．９２％のエントロピー率が達成された。これにより、記述される全てのタイプのオブジェクトまたは関心領域について、現存する二つの領域の少なくともパターン／色、及び模様／テクスチャの十分な記述を提供すると考えられる。
【００６１】
上記のベクトルがエントロピー的及び確率的に解析されると、更なる圧縮及び特徴の意味的記述のために、定量解析が実施される。
【００６２】
形状及び向きの記述子について、結果として得られる統計的独立因子及びそれらの定量的解釈に基づく独立した定量的特徴は、ボリューム、向き、インバウンド、及び凸性であった。ボリューム及び向きが全体的特徴であるのに対して、インバウンド及び凸性は局所的特徴であり、同じ記述子ベクトル内で全体的記述と局所的記述の両方を組み合わせることにより、精度とフレキシビリティの双方に関して記述子全体が改善される。したがって、人間の認知及び統計的視覚情報に関して、オリジナルの記述子は、二つの独立した記述子、すなわち向き及び幾何学的形状全体（全体的及び局所的）の記述子と考えることができる。
【００６３】
色及びテクスチャの記述子について、独立した定量的な抽出された特徴は、色、テクスチャ、パターン、及び模様／細部であった。この場合、色及びテクスチャは全体的特徴であるのに対して、パターン、模様、幾何学的デザイン、及び特定の細部は局所的特徴であることに留意するべきである。更に、その全体的／局所的バランス、及び多数の色空間が同時に存在することを前提として、同じ画像またはオブジェクトにおいて、多数の領域、すなわち、二つ以上の色、テクスチャ、またはパターンを認識することが可能である。人間の意味的認知について、オリジナルの記述子をいくつか、すなわち、色／パターン、及び模様／細部（テクスチャ及び複雑な視覚情報を含む）に分割してもよい。
【００６４】
この理由により、この段階から、オリジナルの記述子が、他の独立した特徴記述子に分解されてもよいこと、また、そのように、主観的な人間の認知及び記述に基づいて、視覚の意味的精度を向上させるために別々に処理されるか、または他のユーザの目的及び用途の独立した選択のために使用されてもよいこと、を推測することができる。更に、達成される他の統計解析に基づいて、かついくつかの方法を使用する冗長な情報の低減に基づいて、以下の結果が得られる。
【００６５】
・形状、幾何学的形状及び向きを記述するための進歩した高レベルな意味的記述子は、好ましくは２２個の変数から構成される（進歩した高レベルな意味的記述子を記述するための値がこの変数の正確な数にあるのではなく、概念上は、これらの数の変数が全体で測定するものにあるため、限定的なものではない）。これは、ロバストで、不変でかつ正確であり、これにより、元の３５個の特徴から得られた解釈及び初期の記述を改善する。
【００６６】
・色、テクスチャ、パターン、模様、幾何学的設計、及び細部を記述するための進歩した高レベルな意味的記述子は、好ましくは３６個の変数から構成される（ここでもまた限定的なものではない）。これは、ロバストで、不変でかつ正確であり、これにより、予想される解釈及び初期の記述を改善し、かつ任意の特定の主観的で意味的なクラスタリングを必要としない。
【００６７】
これらの高レベルな記述子のこの圧縮及び精度の記述が改善されてもよく、その結果、好ましい２２個及び３６個の変数値は、より圧縮される場合には低減されてもよく、かつ更なる情報を提供するために新たな変数が含まれる場合には増加してもよい。
【００６８】
図２を参照すると、例が示されている。図２ａ，２ｂは、特徴記述子ベクトル、形状及び向きの可変密度関数から得られる例を図示しており、図２ｃ，２ｄは、色及びテクスチャの特徴可変密度関数から得られる例を図示している。
【００６９】
＜スケーラブルな類似度関数を定義すること＞
上述したように、精度は、従来技術の類似度誘発性の意味的ＣＢＩＲシステムに影響を与える主な問題の一つである。これは、人間の脳により認知される高レベルの概念と、従来のシステムで頻繁に使用される低レベルな記述子との違いによるものである。更に、クエリ画像に最も類似する結果をソートする目的で、空間メトリック及び距離を使用することと、ｎ次元の情報空間を、可変でありかつ一次元（距離）である空間へ数学的に低次元化することにより、意味的な点で部分的にまたは全体的に類似していない多くの結果が、客観的かつ数学的な距離的観点から最も類似する結果の妨げとなり、最も人間が認知する類似の結果の間に「ノイズ」を生成することが、頻繁に起こる。これは、低レベル数学的計算の点で、それらが全て、客観的に、高レベルの人間の主観的認知から、互いに最も接近しているが、それらが最も類似するものと認知されないためである。
【００７０】
加えて、クエリ画像とデータベースの画像のセットにおける各画像との間の１：１の距離を計算する場合に、スケーラビリティはコンスタントには成長せず、むしろ、処理される１：１の組み合わせの増加により線形に成長する。その結果、大きなデータベースから画像を検索することが、速度の制限及び計算処理の点で問題になる。この問題は通常、機械学習トレーニングラッパー方法によって解決される。これは、予め定義されたクラスタに分類し、モデル化し、かつ各クラスまたはクラスタそれぞれの重心に関して、クエリ画像において１：１の距離計算のみを行うものである。しかしながら、クラスタへの分類が、一定の調整された方式で前記特定のセットを定義し得て、トレーニングラッパー方法を使用して最適化されるような場合では、ここでもまた、その分類が、特定の既知のデータベースまたは制限されたセットにのみ有効であってもよい。更に、このような場合では、精度が悪影響を受ける。なぜなら、事例の全領域をクラスタにグループ化しなければならないため、分類誤差が生じやすいためである。このことは、ｎ次元領域の広くかつ一般に別個の種々の事例及びポイントを表すために、中央モデルのみが使用され、それらの一部がしばしば最も代表的なクラスタに正確に分類されないことを意味している。このため、リアルタイムの無限で連続的に成長するデータベースセットに対して、これらの分類方法は有効でない場合がある。というのも、期待される精度レベルを維持するためには、分類方法は継続的に更新され再トレーニングされなければならないが、これも同様に減少し、それゆえ追加のコスト及びタスクを生成し、かつ全体的に一定の速度であることや、精度及びスケーラビリティを妨げるからである。
【００７１】
前述の制約の一部または全てに対処するために、新たな類似度関数が一実施形態によって提供される。これは、予め定義された分類方法にも、機械学習により最適化される空間メトリックシステムにも基づいておらず、むしろ４つの主要な柱に基づいている。
・全体的特徴と局所的な特徴とが組み合わされた少なくとも４つの高レベルな意味的記述子に基づく類似度解析
・調整された超立方体計算及び超平面階層的空間セグメント化に基づく「個別のサブセットクラスタ」のリアルタイム作成。
・クエリ画像の位置をｎ次元空間の中心に位置させること。
・サーチ速度を増大させ（前記空間内にのみ適用される）、かつ大規模で、及び／またはリアルタイムで連続的に変化しかつ成長するデータベースに対するスケーラビリティを可能にするために、このセット内のアイテムについて１：１の距離のみを計算すること。
【００７２】
再び図１を参照すると、クエリオブジェクトの特徴をブロック１１５において記憶し、かつデータベースアイテムの特徴をブロック１３５において記憶した後に、ｎ次元空間内のクエリベクトルの中心に位置する超立方体クラスタがブロック１４０において決定され、その後、ブロック１４５においてクラスタ内の類似度計算が行われる。
【００７３】
図３ａは、調整された超立方体クラスタ３００を図示している。この場合、超立方体クラスタ３００は、ｍ次元半径を有するベクトルにより定義される。ここでは、ｍは、全ての記述子の変数／次元の合計ｎ次元のサブセットであると共に、超平面で計算された次元毎に独立しかつ異なる半径値であり、かつ、クエリ画像位置の値の受け付けられた距離パーセンテージに基づき、ｎ次元空間内の局所的クエリ位置に関して、サンプルの超立方体クラスタ及び空間密度内の線形の必要な１：１の距離を計算するために許容される最大速度の計算によっても制限される。
【００７４】
・組み合わされたマハラノビス距離及び／またはユークリッド距離に基づく、調整された超立方体サブセット内の類似度の分類は、各意味特徴記述子に別個に独立して適用され、その後、少なくとも２次関数で非線形である主観的視覚類似度に関して、次のように重み付けられる。
【００７５】
【数２】
2016530641.tif 000004
【００７６】
これらのマトリクスは、各記述子内の変数間の相関関係を表すので、任意のオブジェクト及びカテゴリの記述に対する基準であり、それらが記述するオブジェクトやカテゴリのタイプから独立している。これにより、アルゴリズムに関する限りでは、スケーラビリティが可能である。
【００７７】
αを計算するために、初期の監視下の学習方法が適用される（学習方法のみが、主観的な人間の認知の重み付けの調整だけをするこの時点で適用され、客観的で一般的かつトレーニングされていない特徴記述子を定義する前に適用されるのではないことに留意されたい）。この学習方法は、人間の視覚認知に適するように、次の二つの基準に基づいて、多変量ロジスティック回帰によってサポートされる。
・α｜クエリ画像と同一であるとの結果に至るための類似度関数のソート位置を最大化する。
・α｜結果として得られる主観的な意味的類似度関数ソートにおいて認知される不変性を最小限に抑える。
【００７８】
現在の色及びテクスチャの記述子を改善するために、一実施形態では、新たな追加の色空間（例えば、ＲＧＢ、ＣＭＹＫ、他のＣＩＥなど）を含めること、付加的なより高次の統計的モーメント（例えば、共分散、相関関係、歪度、尖度など）を計算すること、空間的に同時に存在する多数サイズのＲＯＩ（例えば、ＲＯＩ  ５０％、ＲＯＩ  ２５％、１０％）、多形状のＲＯＩ（例えば、三角形、六角形など）、及び他の関連性及び類似依存関係（例えば、全体的値に対して最も近い、最も遠い、中間）を追加で計算することを許容する。
【００７９】
更に、一実施形態の利点を、見積もられるスケーラビリティ要件の点から示す目的で、要請される不変性、速度、ロバスト性、及び精度特性を立証するために、詳細な統計的試験を実施した。
【００８０】
＜実施された試験及び例＞
１０００万枚の画像を有する試験された最大のデータベースでの速度及びタイミングに関して、クエリ当たり平均３．２５秒の時間が達成された。１００万枚の画像に関しては、クエリ当たり平均約２．１１秒の時間が達成され、１００，０００枚の画像のみに関しては、クエリ当たり平均１．３７秒の時間が達成された。図３ｂに示すように、三つのみのサンプル点と、推定される初期外挿により、スケーリングは、線３１０で図示するように、非常に良好で、かつ対数増加の理論的限界、Ｎ個の製品に最適にインデックス付けされたサーチのための（ｌｏｇＮ）付近であり、これにより、データベースサイズの対数では線形に見える。（図３ｃにおけるｘ軸線がデータベース内の画像数を示し、かつｙ軸線がクエリ当たりの秒数を示すことに留意されたい。）
【００８１】
結果の完全な１：ＮのソートがＮｌｏｇＮとして増加することが予想できる一方で、それは、機械の数における対応する増加で補うことができることと、更に、最大で５０，０００枚もの画像を含み、かつサーチ毎に０．５秒未満を必要とするクエリ探索を行うことができるデータベース全体のリアルタイム超立方体クラスタサブセットに対するサーチを含む場合に最適化できること、が観察される。
【００８２】
精度に関して、各記述子により達成された最大のエントロピーデータが測定された。
向き及び形状の特徴ベクトル（選択された１５個の変数）
＝＝＝概要＝＝＝
正確に分類された例                  ９９．６１２９％
不正確に分類された例                ０．３８７１％
カッパ統計量                        ０．９９５６
平均絶対誤差                        ０．００１２
二乗平均平方根誤差                  ０．０２４１
相対絶対誤差                        ０．６５６４％
二乗相対平方根誤差                  ８．１０３１％
事例の範囲（０．９５レベル）        １００％
平均相対領域サイズ（０．９５レベル）１０．２１９４％
【００８３】
色、テクスチャ、色及びテクスチャの特徴ベクトル（選択された３６個の変数）
＝＝＝概要＝＝＝
正確に分類された例                  ９８．９２０４％
不正確に分類された例                １．０７９６％
カッパ統計量                        ０．９７４
平均絶対誤差                        ０．００５３
二乗平均平方根誤差                  ０．０５１６
相対絶対誤差                        ３．５３９３％
二乗相対平方根誤差                  １８．８２６７％
事例の範囲（０．９５レベル）        １００％
平均相対領域サイズ（０．９５レベル）９．１７９７％
【００８４】
以下を最適化するために、類似度関数のために最適なαが計算された。
・最初の結果においてクエリオブジェクトの出現のより高いパーセント
・クエリオブジェクトの結果に対する人間の主観的認知の類似度における最大の均一性
【００８５】
ヒット率％に関して、スケール、回転、反転、スケーラビリティ、変形、遮蔽、及び照度効果に対するロバスト性を測定するために、異なる試験が行われる。
【００８６】
低減されたスケール（オリジナル画像の５０％）における１１２個よりも多いサンプルのサブセットで試験された、類似度関数（全ての記述子、すなわち、パターン、模様、形状、及び向きの記述子が含まれている）を伴う、１０３３個の要素のランダムなサブセットについて、
上位１：９４．６４％
上位２：９７．３２％
上位３：９７．３２％
上位４：９７．３２％
上位５：９７．３２％
上位６：９７．３２％
上位７：９７．３２％
上位８：９７．３２％
上位９：９７．３２％
上位１０：９７．３２％
【００８７】
低減されたスケール（オリジナル画像の２５％）における１１２個よりも多いサンプルのサブセットで試験された、類似度関数（全ての記述子、すなわち、パターン、模様、形状、及び向きの記述子が含まれている）を伴う、１０３３個の要素のランダムなサブセットについて、
上位１：９３．７５％
上位２：９４．６４％
上位３：９４．６４％
上位４：９５．５４％
上位５：９５．５４％
上位６：９５．５４％
上位７：９５．５４％
上位８：９６．４３％
上位９：９６．４３％
上位１０：９６．４３％
【００８８】
一実施形態によるＣＢＩＲは、デジタルダウンサンプリング損失効果にもかかわらず、スケール低減分散に対してロバストである。その上、同じ試験（２５％のスケールのダウンサンプリング）をより大きなデータベースに適用すると、以下のようである。
【００８９】
【表１】
2016530641.tif 000005
【００９０】
ノイズ及び誤検出が増加しないことが観察される。つまり、正しい画像が上位２０及び上位１００に入るパーセンテージが、データベースのボリューム増加のスケーラビリティとは全く無関係であり、上位の結果についてごく一部に競争が観察される。
【００９１】
異なるビュー（画像反転及び２Ｄ回転など）における１１２個よりも多いサンプルのサブセットで試験された類似度関数（全ての記述子、すなわち、パターン、模様、形状、及び向きの記述子が含まれている）を伴う、１０３３個の要素のランダムなサブセットについて、
上位１：９０．１８％
上位２：９１．０７％
上位３：９２．８６％
上位４：９４．６４％
上位５：９４．６４％
上位６：９５．５４％
上位７：９５．５４％
上位８：９５．５４％
上位９：９５．５４％
上位１０：９５．５４％
【００９２】
異なるビュー（画像反転／逆転及び２Ｄ回転など）における１１２個よりも多いサンプルのサブセットで試験された、色及びテクスチャの記述子のみを伴う、１０３３個の要素のランダムなサブセットについて、
上位１：７６．２２％
上位２：８１．１０％
上位３：８２．９３％
上位４：８５．９８％
上位５：８６．５９％
上位６：８９．６３％
上位７：９２．０７％
上位８：９２．６８％
上位９：９３．２９％
上位１０：９３．２９％
【００９３】
異なる向きの角度（画像反転／逆転及び２Ｄ回転）における１１２個よりも多いサンプルのサブセットで試験された、形状及び向きの記述子のみを伴う、１０３３個の要素のランダムなサブセットについて、
上位１：７５．８９％
上位２：８２．１４％
上位３：８３．９３％
上位４：８５．７１％
上位５：８６．６１％
上位６：８７．５０％
上位７：８８．３９％
上位８：８８．３９％
上位９：８８．３９％
上位１０：８８．３９％
【００９４】
ヒット率パーセンテージが上位１から上位１０までで２２％増加するのに対して、形状及び向きについては増加が１６％であるため、全ての特徴が全体的な類似精度に寄与していること、及び、色及びテクスチャの特徴が明らかにより強いが、最初の結果で同一のオブジェクトを見つけるための類似初期精度を有していると、判断することができる。
【００９５】
また、スケール３Ｄ奥行き回転に対する正確なロバスト性及びフレキシビリティを確認する目的で、他のクエリ画像条件のために、ヒット率パーセンテージも計算され、かつ、記述子を考慮に入れることが、異なる視点を有しそれ故に異なる視覚情報を有する単一の２Ｄ画像に対して計算されている。
【００９６】
３Ｄ奥行き回転ビューでの１１２個よりも多いサンプルのサブセットで試験された、類似度関数（全ての記述子、すなわち、パターン、模様、形状、及び向きの記述子が含まれている）を伴う、１０３３個の要素のランダムなサブセットについて、
上位１：２５．００％
上位２：３３．９３％
上位３：３９．２９％
上位４：４４．６４％
上位５：４６．４３％
上位６：４８．２１％
上位７：４９．１１％
上位８：５１．７９％
上位９：５４．４６％
上位１０：５４．４６％
【００９７】
予想された唯一の計算２Ｄ記述子として、一実施形態によるＣＢＩＲは、アフィン歪みにより、３Ｄ奥行き回転分散に対して、初期には望まれているほどは強力ではなくてもよい。しかしながら、最初の１０個の結果において、それらの事例の約半分がこのビューから適切に特定される場合に、それは良好な第一のステップである。３Ｄ奥行きにおけるこの分散を改善するために、別の実施形態によれば、完全な３Ｄオブジェクトから追加の２Ｄビューに、記述子及びその進化を組み込むことを含む新たなアクションが実施される。
【００９８】
要約すると、一実施形態によれば、以下の理由により、より高速で、より正確で、かつよりスケーラブルな、新たなＣＢＩＲ方法が提供される。
【００９９】
計算の単純さ及び小さなベクトルの次元サイズの点で、最初は低レベル記述子であるように見えるが、変換方法による実行により、不変で、ロバストで、フレキシビリティがあり、かつスケーラブルであり、誘発トレーニング方法または強制トレーニング方法を適用することなく、元の本質的効果を維持し、これにより、拡張可能性及びスケーラビリティ、並びに任意のタイプの検索されたオブジェクト、カテゴリまたは画像での高いパフォーマンスを維持するものの自己選択。
【０１００】
エントロピー統計解析により、最適な特徴を選択しかつ冗長性を排除するための変換技術及びフィルタリング方法を適用し、これにより、学習方法またはラッパー方法の使用を回避すること。
【０１０１】
初期に記述するように見えるものよりも更に複雑でかつ詳細なものを正確かつ効率的に認識し、ほぼ人間のような意味的概念を直接かつ簡単に解釈することを可能にする高いヒット率を達成することが可能な、詳細な視覚情報に対する精度、全体的及び局所的な特徴の同時の組み合わせと記述に対する複雑さに関して得られる高レベルな特徴記述子。
【０１０２】
ユークリッド距離及び／またはマハラノビス距離を組み合わせて使用すると共に、任意選択的に後になされる人間の認知の調整のための主観的な重み付けをする、ｎ次元メトリックによる解析及び類似度関数。クエリ画像の中心に位置させたリアルタイム超立方体の最適化された実行によりもたらされる改善による、効率及び速度の増加。
【０１０３】
図４、図５、図６、図７ａ、図７ｂ、図７ｃ、図７ｄ、図８ａ、及び図８ｂは、異なるタイプの選択画像に対して種々の実施形態により得られた種々の視覚的な例を示している。これらの例の元の色はカラーであるが、本出願における例はグレースケールで図示されており、異なる結果及びそれらの精度を解釈し観察することが、より容易であることに留意されたい。
【０１０４】
図４は、複数の色空間の同時に使用し、全体的及び局所的な測定の存在下で（局所的測定は正方形のＲＯＩに適用された）、特徴記述子により測定された情報の例４１０、４２０、４３０、４４０、４５０、４６０、４７０及び４８０を図示している。
【０１０５】
図５及び図６は、完全なＣＢＩＲソリューション、及び異なるクエリ画像条件（カタログ画像、実際のスナップショット、及び手書き図）により得られる結果の例５００、５０５、５１０、５１５、５２０、５２５、５３０、５３５、５４０、５４５、５５０、５５５、６００、６０５、６１０、６１５、６２０、６２５、６３０、６３５、６４０及び６４５を図示している。これらは、精度、スケーラビリティ及びフレキシビリティを実証すると共に、ノイズや照度変化に対するロバスト性と、回転、反転、転換、遮蔽、及びスケールに対する不変性を実証するものである。
【０１０６】
図７ａ、図７ｂ、図７ｃは、色及びテクスチャの特徴記述子のみを使用して得られる例７００、７０５、７１０、７１５、７２０、７２５、７３０、７３２、７３４、７３６、７３８、７４０、７４２、７４４、７５０、７５５、７６０、７６５、７７０及び７７５を図示している。これらは、高レベルのパターン及び模様の類似度の認識能力、すなわち、比率（プロポーション）、ストライプ、チェック、星模様を維持している一方で、異なる色及びテクスチャを有するパターン、花・スタッド・ドット・バックルなど特定の細部、幾何学的デザイン、多数の領域を解析する能力を示すものである。
【０１０７】
図７ｄは、色、テクスチャ、形状、及び幾何学形状の特徴記述子を、全て一緒に使用して得られる例７８０、７８２、７８４、７８６、７８８、及び７９０を図示している。これらは、視点３Ｄ回転に対するフレキシビリティと、照度変化や紙・ガラスなどの図柄における異なる画像条件に対するロバスト性とを示すものである。
【０１０８】
最後に、図８ａ及び図８ｂは、色及びテクスチャの特徴記述子のみを使用する一実施形態によるシステムのスケーラビリティの例８００、８１０、８２０、８３０、８４０、８５０、及び８６０を図示している。ここでは、同じカテゴリからのオブジェクトを解釈するためだけに同じ特徴記述子が使用されるのではなく、他のカテゴリからのオブジェクトも解釈するために同じ特徴記述子が使用される。サーチにおいて詳細かつ意味的に視覚情報を認識しかつ記述し、動物の顔の認識さえする。
【０１０９】
前述の詳細な説明では、ブロック図、概略図、及び例を用いて、種々の実施形態を説明してきた。そのようなブロック図、概略図、及び例が一つまたは複数の機能、及び／または動作を含む限りにおいて、汎用コンピュータ上、または専用ハードウェアの形態で稼働するソフトウェアを含む、広範なハードウェア、ソフトウェア、またはこれらの実質的に任意の組み合わせによって、そのようなブロック図、フロー図、または例における各機能、及び／または各動作を、個別に及び／または集合的に、実行することができる。
【０１１０】
本明細書で使用される「コンピュータ可読記録媒体」という語は、プロセッサに対する実行命令の提供に関与するディスクまたは半導体メモリなど、任意の有形媒体を指している。汎用コンピュータは、汎用コンピュータがそこから実行可能なコードを読み取ることができるハードドライブ、光学媒体（ＣＤまたはＤＶＤ）、ディスク媒体、または任意の他の有形媒体などの記憶装置に接続されていてもよい。
【０１１１】
ある特定の実施形態を説明してきたが、これらの実施形態は、例として提示されており、保護の範囲を限定することを意図するものではない。実際に、本明細書で説明した新たな方法及び装置を様々な他の形態で具体化してもよい。更に、保護の範囲を逸脱することなく、本明細書で説明した方法及びシステムの形態における種々の省略、置換及び変更を行ってもよい。添付の特許請求の範囲及びそれらの均等物は、保護の範囲及び概念に含まれるような形態または変形をカバーすることを意図したものである。
【図１】
2016530641.tif 000006
【図２ａ】
2016530641.tif 000007
【図２ｂ】
2016530641.tif 000008
【図２ｃ】
2016530641.tif 000009
【図２ｄ】
2016530641.tif 000010
【図３ａ】
2016530641.tif 000011
【図３ｂ】
2016530641.tif 000012
【図３ｃ】
2016530641.tif 000013
【図４】
2016530641.tif 000014
【図５】
2016530641.tif 000015
【図６】
2016530641.tif 000016
【図７ａ】
2016530641.tif 000017
【図７ｂ】
2016530641.tif 000018
【図７ｃ】
2016530641.tif 000019
【図７ｄ】
2016530641.tif 000020
【図８ａ】
2016530641.tif 000021
【図８ｂ】
2016530641.tif 000022
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
コンテンツベースの画像検索のための方法であって、
クエリ画像を選択することと、
選択された前記クエリ画像を、セグメント化技術を適用することによりセグメント化することと、
色特徴記述子及びテクスチャ特徴記述子を含む少なくとも二つの特徴記述子を決定することにより、セグメント化された前記クエリ画像から特徴を抽出することと、
セグメント化された前記クエリ画像で決定された前記少なくとも二つの特徴記述子を使用して、データベース内に含まれており、前記少なくとも二つの特徴記述子によって抽出され計算された特徴を含んでいる複数の画像に対する前記クエリ画像の類似度を決定することと、を具備し、
前記決定された前記色特徴記述子及び前記テクスチャ特徴記述子が、少なくとも三つの異なる色空間それぞれの三つの色チャンネルのそれぞれについて、少なくとも数値の平均及び分散を測定する全体的及び局所的な統計的測定の値を含む
ことを特徴とする方法。
【請求項２】
前記色特徴記述子及び前記テクスチャ特徴記述子は、少なくとも形状特徴記述子及び向き特徴記述子と更に組み合わされる、
請求項１に記載の方法。
【請求項３】
前記決定された前記色特徴記述子及び前記テクスチャ特徴記述子が、少なくとも三つの異なる色空間それぞれの三つの色チャンネルのそれぞれについて、少なくとも数値の平均及び分散を測定する全体的な統計的測定の値のみを含む
請求項１に記載の方法。
【請求項４】
前記クエリ画像内の異なる色領域及び／またはテクスチャ領域を区別するために、前記クエリ画像内のあるサイズの局所的な関心領域ＲＯＩを計算することを更に具備し、
前記関心領域ＲＯＩは平均及び分散を測定することにより計算され、
前記関心領域ＲＯＩは前記全体的な統計的測定の値に最も近い、または、最も遠い距離を満たす、
請求項１に記載の方法。
【請求項５】
前記関心領域ＲＯＩのサイズは、前記クエリ画像の全領域の１パーセントの割合である、
請求項４に記載の方法。
【請求項６】
前記異なる色空間は、同時に組み合わされたＨＳＶ、ＣｉｅＬＡＢ及びＣｉｅＸＹＺを少なくとも含む、
請求項１に記載の方法。
【請求項７】
前記形状特徴記述子は、あるオブジェクトに関連する凸殻、偏心度、他の派生的に計算された形状、及び／または、比率を含む領域に基づいて、低レベル不変Ｈｕモーメントと、前記オブジェクトのボリュームに関連する他の非線形で無次元のパラメータとを使用することを含む、
請求項２に記載の方法。
【請求項８】
内側輪郭についての周長に基づく等価の比率と詳細な局所的形状、及び他の高レベル変数、及び／または、
内側及び外側の境界線についての凸欠陥領域と関連する直線比、凸性、及び／または偏心度
を計算することを更に具備する、
請求項７に記載の方法。
【請求項９】
前記向き特徴記述子は、主成分分析ＰＣＡの第一成分の少なくとも一つの角度値を使用して決定される、
請求項２に記載の方法。
【請求項１０】
前記データベースに含まれる前記複数の画像に対する前記クエリ画像の類似度は、リアルタイムで調整される超立方体クラスタ内に適用される空間メトリックを使用して決定され、
前記超立方体クラスタは、
次元毎に独立しかつ異なる半径値を有する、少なくとも二つの特徴記述子の合計ｎ次元のサブセットｍの、ｍ次元半径を有するベクトルにより定義され、
クエリ画像位置の値について受け付けられた距離パーセンテージに基づくものであり、かつ
前記クエリ画像の空間位置の中心に位置する前記超立方体クラスタ内で、全ての必要な１：１の距離を計算するために許容される最大速度の計算により制限される、
請求項１に記載の方法。
【請求項１１】
前記ｍ次元半径のベクトルは、多次元空間から一次元空間に数学的かつ幾何学的に変化する前記クエリ画像位置を少なくとも使用して、次元毎に計算される、
請求項１０に記載の方法。
【請求項１２】
前記少なくとも二つの特徴記述子は、多変量ロジスティック回帰分析に適用される統計的分類方法に基づく変換技術及びフィルタリング方法を適用することにより最適化される、
請求項１に記載の方法。
【請求項１３】
コンテンツベースの画像検索のための方法をコンピュータに実行させるプログラムを記憶している非一時的コンピュータ可読媒体であって、
前記方法は、
クエリ画像を選択することと、
選択された前記クエリ画像を、セグメント化技術を適用することによりセグメント化することと、
色特徴記述子及びテクスチャ特徴記述子を含む少なくとも二つの特徴記述子を決定することにより、セグメント化された前記クエリ画像から特徴を抽出することと、
セグメント化された前記クエリ画像で決定された前記少なくとも二つの特徴記述子を使用して、データベース内に含まれており、前記少なくとも二つの特徴記述子によって抽出され計算された特徴を含んでいる複数の画像に対する前記クエリ画像の類似度を決定することと、を具備し、
決定された前記色特徴記述子及び前記テクスチャ特徴記述子が、少なくとも三つの異なる色空間それぞれの三つの色チャンネルのそれぞれについて、少なくとも数値の平均及び分散を測定する全体的及び局所的な統計的測定の値を含む
ことを特徴とする非一時的コンピュータ可読媒体。
【請求項１４】
前記色特徴記述子及び前記テクスチャ特徴記述子は、少なくとも形状特徴記述子及び向き特徴記述子と更に組み合わされる、
請求項１３に記載の非一時的コンピュータ可読媒体。
【請求項１５】
決定された前記色特徴記述子及び前記テクスチャ特徴記述子が、少なくとも三つの異なる色空間それぞれの三つの色チャンネルのそれぞれについて、少なくとも数値の平均及び分散を測定する全体的な統計的測定の値のみを含む
請求項１３に記載の非一時的コンピュータ可読媒体。
【請求項１６】
前記クエリ画像内の異なる色領域及び／またはテクスチャ領域を区別するために、前記クエリ画像内のあるサイズの局所的な関心領域ＲＯＩを計算することを更に具備し、
前記関心領域ＲＯＩは平均及び分散を測定することにより計算され、
前記関心領域ＲＯＩは前記全体的な統計的測定の値に最も近い、または、最も遠い距離を満たす、
請求項１３に記載の非一時的コンピュータ可読媒体。
【請求項１７】
前記関心領域ＲＯＩのサイズは、前記クエリ画像の全領域の１パーセントの割合である、
請求項１６に記載の非一時的コンピュータ可読媒体。
【請求項１８】
前記異なる色空間は、同時に組み合わされたＨＳＶ、ＣｉｅＬＡＢ及びＣｉｅＸＹＺを少なくとも含む、
請求項１３に記載の非一時的コンピュータ可読媒体。
【請求項１９】
前記形状特徴記述子は、あるオブジェクトに関連する凸殻、偏心度、他の派生的に計算された形状、及び／または、比率を含む領域に基づいて、低レベル不変Ｈｕモーメントと、前記オブジェクトのボリュームに関連する他の非線形で無次元のパラメータとを使用することを含む、
請求項１４に記載の非一時的コンピュータ可読媒体。
【請求項２０】
内側輪郭についての周長に基づく等価の比率と詳細な局所的形状、及び他の高レベル変数、及び／または、
内側及び外側の境界線についての凸欠陥領域と関連する直線比、凸性、及び／または偏心度
を計算することを更に具備する、
請求項１９に記載の非一時的コンピュータ可読媒体。
【請求項２１】
前記向き特徴記述子は、主成分分析ＰＣＡの第一成分の少なくとも一つの角度値を使用して決定される、
請求項１４に記載の非一時的コンピュータ可読媒体。
【請求項２２】
前記データベースに含まれる前記複数の画像に対する前記クエリ画像の類似度は、リアルタイムで調整される超立方体クラスタ内に適用される空間メトリックを使用して決定され、
前記超立方体クラスタは、
次元毎に独立しかつ異なる半径値を有する、少なくとも二つの特徴記述子の合計ｎ次元のサブセットｍの、ｍ次元半径を有するベクトルにより定義され、
クエリ画像位置の値について受け付けられた距離パーセンテージに基づくものであり、かつ
前記クエリ画像の空間位置の中心に位置する前記超立方体クラスタ内で、全ての必要な１：１の距離を計算するために許容される最大速度の計算により制限される、
請求項１３に記載の非一時的コンピュータ可読媒体。
【請求項２３】
前記ｍ次元半径のベクトルは、多次元空間から一次元空間に数学的かつ幾何学的に変化する前記クエリ画像位置を少なくとも使用して、次元毎に計算される、
請求項２２に記載の非一時的コンピュータ可読媒体。
【請求項２４】
前記少なくとも二つの特徴記述子は、多変量ロジスティック回帰分析に適用される統計的分類方法に基づく変換技術及びフィルタリング方法を適用することにより最適化される、
請求項１３に記載の非一時的コンピュータ可読媒体。
【国際調査報告】
2016530641.tif 000023
2016530641.tif 000024
2016530641.tif 000025
2016530641.tif 000026